(57)【要約】    【課題】      ＧＩによる伝送効率の損失を最低限に抑制しつつ、演算量の増大を防止すること。    【解決手段】  ＧＩ付加部１０４は、ＯＦＤＭデータの先頭にＧＩ長保持部１０５に記憶された長さのＧＩを付加する。ＧＩ長保持部１０５は、自装置のセル属性がセルラであるかホットスポットであるかに応じて、自装置のセルに最適なＧＩ長を保持している。拡張データＩＦＦＴ部１０６は、固定長の拡張部分から自装置のＧＩ長の２倍を減じた長さに収まる量の変調データを逆高速フーリエ変換する。拡張データＧＩ付加部１０７は、拡張データの先頭にＧＩ長保持部１０５に記憶された長さのＧＩを付加する。拡張データ付加部１０８は、ＧＩ付加後のＯＦＤＭデータのＧＩの前に、ＧＩ付加後の拡張データを付加する。  【選択図】      図１
2006324728.tif 000002
【特許請求の範囲】
【請求項１】
伝搬環境に応じた長さのガードインターバルを固定長のマルチキャリアデータに付加する付加手段と、
付加されたガードインターバルとの長さの和を一定にする拡張データを生成する生成手段と、
ガードインターバル付加後のマルチキャリアデータと前記拡張データとからなるシンボルを送信する送信手段と、
を有することを特徴とするマルチキャリア通信装置。
【請求項２】
前記付加手段は、
自装置がカバーするセルのセル半径が大きいほど長いガードインターバルを付加し、前記セル半径が小さいほど短いガードインターバルを付加することを特徴とする請求項１記載のマルチキャリア通信装置。
【請求項３】
前記付加手段は、
通信相手における最大遅延以上の長さのガードインターバルを付加することを特徴とする請求項１記載のマルチキャリア通信装置。
【請求項４】
前記付加手段は、
複数の移動局装置から報告される最大遅延を集計し、最大遅延の範囲によって前記複数の移動局装置をグループ分けする最大遅延集計部と、
前記複数の移動局装置のうち受信品質が所定基準以上の移動局装置およびこの移動局装置と同一グループの移動局装置を通信相手と決定するスケジューラと、を有し、
決定された通信相手の移動局装置に対して、同一の長さのガードインターバルを付加することを特徴とする請求項３記載のマルチキャリア通信装置。
【請求項５】
前記生成手段は、
送信データを直交逆変換する直交逆変換部と、
直交逆変換された送信データに前記付加手段によって付加されるガードインターバルと同じ長さのガードインターバルを付加して拡張データを生成するガードインターバル付加部と、
を有することを特徴とする請求項１記載のマルチキャリア通信装置。
【請求項６】
前記生成手段は、
既知のパイロットデータを直交変換する直交逆変換部と、
直交逆変換されたパイロットデータに前記付加手段によって付加されるガードインターバルと同じ長さのガードインターバルを付加して拡張データを生成するガードインターバル付加部と、
を有することを特徴とする請求項１記載のマルチキャリア通信装置。
【請求項７】
伝搬環境に応じた長さのガードインターバルおよびこのガードインターバルとの長さの和を一定にする拡張データが固定長のマルチキャリアデータに付加されたシンボルを受信する受信手段と、
受信シンボルから前記ガードインターバルおよび拡張データを除去して前記マルチキャリアデータを取得する第１取得手段と、
前記ガードインターバルの長さを用いて受信シンボルから前記拡張データを取得する第２取得手段と、
取得されたマルチキャリアデータおよび拡張データに基づいた復調を行う復調手段と、
を有することを特徴とするマルチキャリア通信装置。
【請求項８】
伝搬環境に応じた長さのガードインターバルを固定長のマルチキャリアデータに付加するステップと、
付加されたガードインターバルとの長さの和を一定にする拡張データを生成するステップと、
ガードインターバル付加後のマルチキャリアデータと前記拡張データとからなるシンボルを送信するステップと、
を有することを特徴とするマルチキャリア通信方法。
【請求項９】
伝搬環境に応じた長さのガードインターバルおよびこのガードインターバルとの長さの和を一定にする拡張データが固定長のマルチキャリアデータに付加されたシンボルを受信するステップと、
受信シンボルから前記ガードインターバルおよび拡張データを除去して前記マルチキャリアデータを取得するステップと、
前記ガードインターバルの長さを用いて受信シンボルから前記拡張データを取得するステップと、
取得されたマルチキャリアデータおよび拡張データに基づいた復調を行うステップと、
を有することを特徴とするマルチキャリア通信方法。
【発明の詳細な説明】
【技術分野】
【０００１】
本発明は、マルチキャリア通信装置およびマルチキャリア通信方法に関し、特に、シンボルに含まれるデータ部分の先頭にガードインターバルが付加されたマルチキャリア信号を伝送するマルチキャリア通信装置およびマルチキャリア通信方法に関する。
【背景技術】
【０００２】
一般に、ＯＦＤＭ（Orthogonal Frequency Division Multiplex：直交周波数分割多重）方式などによるマルチキャリア通信においては、シンボル間干渉を防止するために、シンボルとシンボルの間にガードインターバル（以下「ＧＩ」と略記する）が設けられる。ＧＩは、シンボル中のデータ部分の末尾が複製されてデータ部分の先頭に付加されることによってシンボル間に設けられる。
【０００３】
ＧＩの時間長（以下「ＧＩ長」という）は、最も遅延して受信側へ到達する遅延波の遅延時間（以下「最大遅延」という）以上の長さにしておけば良く、こうすることにより、あるシンボルの遅延波が次のシンボルに干渉を及ぼすことがない。ただし、最大遅延は、セル半径などの伝搬環境に応じて変化するため、ＧＩ長は、無線通信システム内において想定される最も大きい最大遅延以上の長さにしておく必要がある。
【０００４】
一方、ＧＩは、データ部分の末尾の複製であって、伝達すべき情報を含まない冗長成分であるため、伝送効率の観点からはＧＩ長を短くするのが好ましい。つまり、ＧＩ長は、無線通信システム内で想定される最も大きい最大遅延に等しい長さとするのが好ましく、それより長かったり短かったりするのは好ましくない。
【０００５】
しかし、このようにＧＩ長を決定すると、同じ無線通信システム内でも例えば最大遅延が小さい伝搬環境では、ＧＩ長が必要以上に長く、伝送効率の無駄が生じていることになる。すなわち、例えばセル半径が異なるセルを有する無線通信システムの場合、セル半径が大きいセルでは想定される最大遅延が大きく、セル半径が小さいセルでは想定される最大遅延が小さい。そしてこのような場合、ＧＩ長は、セル半径が大きいセルで想定される最大遅延と等しい長さに決定されるが、セル半径が小さいセル内で通信が行われる時には、実際の最大遅延よりもＧＩ長が長く、潜在的な伝送効率の損失が発生している。
【０００６】
この問題に対して、例えば特許文献１に開示されているように、ＧＩ長を可変にすることが考えられる。すなわち、最大遅延が小さい伝搬環境においては、図１３（ａ）に示すようにＯＦＤＭシンボルに占めるＧＩ長の割合を小さくし、最大遅延が大きい伝搬環境においては、図１３（ｂ）に示すようにＯＦＤＭシンボルに占めるＧＩ長の割合を大きくすれば良い。
【特許文献１】特開平８−８８６１７号公報
【発明の開示】
【発明が解決しようとする課題】
【０００７】
ところで、マルチキャリア通信の受信側装置においては、受信信号に例えば高速フーリエ変換（ＦＦＴ：Fast Fourier Transform）および離散フーリエ変換（ＤＦＴ：Discrete Fourier Transform）などの直交変換が施されることによって、複数のサブキャリアに重畳されたデータが抽出される。この直交変換は、受信信号からＧＩを除去して得られた各シンボルのデータ部分に対して施されるが、このとき、データ部分の長さが直交変換におけるサンプル数にして２のべき乗（２，４，８，１６，・・・）個に相当するのが好ましい。すなわち、データ部分の長さが２のべき乗サンプルであれば、直交変換として容易にＦＦＴを施すことができ、演算量を削減して処理速度を向上することができる。
【０００８】
しかしながら、上述した特許文献１に開示された技術においては、ＯＦＤＭシンボル長を変化させずにＧＩ長を変化させるため、データ部分の長さを常に２のべき乗サンプルに維持するのが困難であるという問題がある。具体的には、例えばデータ部分の長さが１０２４サンプルである時に、データ部分の長さを２のべき乗サンプルとしたままＧＩ長を短くするには、ＧＩ長を１０２４サンプル短くしてデータ部分の長さを２０４８（＝１０２４＋１０２４）サンプルとする必要がある。ところが、通常、ＧＩ長はデータ部分の長さよりも非常に短いため、データ部分が１０２４サンプルである時にＧＩ長を１０２４サンプルも短くするのは非現実的である。
【０００９】
このため、データ部分の長さを２のべき乗サンプルに維持することなく、ＯＦＤＭシンボルに占めるＧＩおよびデータ部分の割合を適宜変更することになるが、この場合には、直交変換として容易にＦＦＴを適用することができず、演算量が膨大となるＤＦＴを適用する必要が生じる。
【００１０】
本発明はかかる点に鑑みてなされたものであり、ＧＩによる伝送効率の損失を最低限に抑制しつつ、演算量の増大を防止することができるマルチキャリア通信装置およびマルチキャリア通信方法を提供することを目的とする。
【課題を解決するための手段】
【００１１】
本発明に係るマルチキャリア通信装置は、伝搬環境に応じた長さのガードインターバルを固定長のマルチキャリアデータに付加する付加手段と、付加されたガードインターバルとの長さの和を一定にする拡張データを生成する生成手段と、ガードインターバル付加後のマルチキャリアデータと前記拡張データとからなるシンボルを送信する送信手段と、を有する構成を採る。
【００１２】
本発明に係るマルチキャリア通信方法は、伝搬環境に応じた長さのガードインターバルを固定長のマルチキャリアデータに付加するステップと、付加されたガードインターバルとの長さの和を一定にする拡張データを生成するステップと、ガードインターバル付加後のマルチキャリアデータと前記拡張データとからなるシンボルを送信するステップと、を有するようにした。
【００１３】
これらによれば、固定長のマルチキャリアデータにガードインターバルおよび拡張データからなる固定長の拡張部分が付加されて送信シンボルとなるため、伝搬環境に応じてＧＩの長さを変えても、マルチキャリアデータの長さを２のべき乗サンプルに固定することができ、受信側において高速フーリエ変換を行うことができる。結果として、ＧＩによる伝送効率の損失を最低限に抑制しつつ、演算量の増大を防止することができる。
【発明の効果】
【００１４】
本発明によれば、ＧＩによる伝送効率の損失を最低限に抑制しつつ、演算量の増大を防止することができる。
【発明を実施するための最良の形態】
【００１５】
本発明の骨子は、固定長のデータ部分の先頭に可変長のＧＩと可変長の拡張データとを含む固定長の拡張部分を付加してシンボルを生成することである。
【００１６】
以下、本発明の実施の形態について、図面を参照して詳細に説明する。なお、以下の説明においては、マルチキャリア通信としてＯＦＤＭ方式を用いた通信が適用されるものとして説明する。
【００１７】
（実施の形態１）
本発明の実施の形態１においては、移動局装置が通常の携帯電話などのためのセルと無線ＬＡＮなどのためのセルとの双方において各セルの基地局装置と通信可能であるものとする。
【００１８】
図１は、本実施の形態に係る基地局装置の要部構成を示すブロック図である。図１に示す基地局装置は、誤り訂正符号化部１０１、変調部１０２、ＩＦＦＴ（Inverse Fast Fourier Transform：逆高速フーリエ変換）部１０３、ＧＩ付加部１０４、ＧＩ長保持部１０５、拡張データＩＦＦＴ部１０６、拡張データＧＩ付加部１０７、拡張データ付加部１０８、ＲＦ（Radio Frequency：無線周波数）送信部１０９、ＲＦ受信部１１０、ＧＩ除去部１１１、ＦＦＴ部１１２、復調部１１３、および誤り訂正復号部１１４を有している。
【００１９】
誤り訂正符号化部１０１は、送信データを誤り訂正符号化し、得られた符号化データを変調部１０２へ出力する。
【００２０】
変調部１０２は、符号化データを変調し、得られた変調データをＩＦＦＴ部１０３および拡張データＩＦＦＴ部１０６へ出力する。
【００２１】
ＩＦＦＴ部１０３は、変調データを逆高速フーリエ変換して、周波数が異なる複数のサブキャリアに変調データを重畳し、得られたＯＦＤＭデータをＧＩ付加部１０４へ出力する。なお、ＩＦＦＴ部１０３は、常に一定量の変調データを逆高速フーリエ変換する。したがって、得られたＯＦＤＭデータの長さは一定である。
【００２２】
ＧＩ付加部１０４は、ＯＦＤＭデータの先頭にＧＩ長保持部１０５から指定された長さのＧＩを付加し、ＧＩが付加されたＯＦＤＭデータを拡張データ付加部１０８へ出力する。なお、ＧＩ付加部１０４は、ＯＦＤＭデータの末尾を複製してＧＩとする。
【００２３】
ＧＩ長保持部１０５は、自装置が携帯電話などのセルの基地局装置であるか無線ＬＡＮなどのセルの基地局装置であるかに応じて、自装置のセルに最適なＧＩ長を保持している。すなわち、ＧＩ長保持部１０５は、自装置が携帯電話などのセルの基地局装置であれば、自装置のセルはセル半径が比較的大きく、最大遅延も大きくなると考えられるので長いＧＩ長を保持している。また、ＧＩ長保持部１０５は、自装置が無線ＬＡＮなどのセルの基地局装置であれば、自装置のセルはセル半径が比較的小さく、最大遅延も小さくなると考えられるので短いＧＩ長を保持している。そして、ＧＩ長保持部１０５は、保持しているＧＩ長をＧＩ付加部１０４、拡張データＩＦＦＴ部１０６、および拡張データＧＩ付加部１０７へ通知する。
【００２４】
なお、以下では、携帯電話などのセルのセル属性をセルラといい、無線ＬＡＮなどのセルのセル属性をホットスポットという。
【００２５】
拡張データＩＦＦＴ部１０６は、無線通信システム全体において最も長いＧＩ長以上の長さに設定される拡張部分から、自装置のＧＩ長保持部１０５に保持されているＧＩ長の２倍を減じた長さに収まる量の変調データを逆高速フーリエ変換して、複数のサブキャリアに変調データを重畳し、得られた拡張データを拡張データＧＩ付加部１０７へ出力する。
【００２６】
すなわち、本実施の形態においては、ＩＦＦＴ部１０３によって生成される一定の長さのＯＦＤＭデータに一定の長さの拡張部分が付加される。このとき、拡張部分は、無線通信システム全体において最も長いＧＩ長以上の長さに固定されており、本実施の形態においては、セル属性がセルラの場合のＧＩ長以上の長さに固定されている。そして、拡張部分は、ＯＦＤＭデータのＧＩ部分とＧＩ以外の部分とからなるが、拡張データＩＦＦＴ部１０６は、ＧＩ以外の部分に収まる量の変調データを逆高速フーリエ変換して拡張データを生成する。なお、ＧＩ以外の部分に収まる量とは、ＧＩ以外の部分に等しい量ではなく、生成された拡張データに付加されるＧＩを考慮した量のことである。したがって、拡張データＩＦＦＴ部１０６は、ＯＦＤＭデータおよび拡張データ双方のＧＩ長（すなわち、ＧＩ長の２倍）を拡張部分から減じた長さに等しい変調データを逆高速フーリエ変換する。
【００２７】
拡張データＧＩ付加部１０７は、拡張データの先頭にＧＩ長保持部１０５から指定された長さのＧＩを付加し、ＧＩが付加された拡張データを拡張データ付加部１０８へ出力する。なお、拡張データＧＩ付加部１０７は、拡張データの末尾を複製してＧＩとする。
【００２８】
拡張データ付加部１０８は、ＧＩ付加部１０４から出力されるＧＩ付加後のＯＦＤＭデータのＧＩの前に、拡張データＧＩ付加部１０７から出力されるＧＩ付加後の拡張データを付加する。これにより、固定長のＯＦＤＭデータにＯＦＤＭデータのＧＩ、拡張データ、および拡張データのＧＩを含む固定長の拡張部分が付加されたＯＦＤＭシンボルが生成される。
【００２９】
ＲＦ送信部１０９は、ＯＦＤＭシンボルからフレームを構成し、得られたフレームに対して所定の無線送信処理（Ｄ／Ａ変換、アップコンバートなど）を施し、アンテナを介して送信する。
【００３０】
ＲＦ受信部１１０は、アンテナを介してＯＦＤＭシンボルからなるフレームを受信し、受信ＯＦＤＭシンボルに対して所定の無線受信処理（ダウンコンバート、Ａ／Ｄ変換など）を施す。
【００３１】
ＧＩ除去部１１１は、ＯＦＤＭシンボルの先頭に付加されているＧＩを除去し、得られたＯＦＤＭデータをＦＦＴ部１１２へ出力する。
【００３２】
ＦＦＴ部１１２は、ＯＦＤＭデータを高速フーリエ変換して、各サブキャリアに重畳されている変調データを復調部１１３へ出力する。
【００３３】
復調部１１３は、変調データを復調し、得られた符号化データを誤り訂正復号部１１４へ出力する。
【００３４】
誤り訂正復号部１１４は、符号化データを誤り訂正復号し、受信データを出力する。
【００３５】
図２は、本実施の形態に係る移動局装置の要部構成を示すブロック図である。図２に示す移動局装置は、ＲＦ受信部２０１、拡張部分除去部２０２、ＦＦＴ部２０３、ＧＩ長保持部２０４、拡張データＧＩ除去部２０５、拡張データＦＦＴ部２０６、復調部２０７、誤り訂正復号部２０８、誤り訂正符号化部２０９、変調部２１０、ＩＦＦＴ部２１１、ＧＩ付加部２１２、およびＲＦ送信部２１３を有している。
【００３６】
ＲＦ受信部２０１は、アンテナを介してＯＦＤＭシンボルからなるフレームを受信し、受信ＯＦＤＭシンボルに対して所定の無線受信処理（ダウンコンバート、Ａ／Ｄ変換など）を施す。
【００３７】
拡張部分除去部２０２は、ＯＦＤＭシンボルの先頭に付加されている固定長の拡張部分を除去し、得られたＯＦＤＭデータをＦＦＴ部２０３へ出力する。
【００３８】
ＦＦＴ部２０３は、ＯＦＤＭデータを高速フーリエ変換して、各サブキャリアに重畳されている変調データを復調部２０７へ出力する。
【００３９】
ＧＩ長保持部２０４は、基地局装置を介して制御局装置から送信される周辺セル情報を参照し、自装置が属するセルの基地局装置および周辺のセルの基地局装置がそれぞれ付加するＧＩ長を保持する。そして、ＧＩ長保持部２０４は、通信相手となっている基地局装置のＧＩ長を拡張データＧＩ除去部２０５および拡張データＦＦＴ部２０６へ通知する。
【００４０】
拡張データＧＩ除去部２０５は、ＯＦＤＭシンボルの先頭に付加されている拡張部分を抽出し、ＧＩ長保持部２０４から通知されるＧＩ長のＧＩを拡張部分から除去する。すなわち、拡張データＧＩ除去部２０５は、拡張部分の先頭に含まれる拡張データのＧＩと拡張部分の末尾に含まれるＯＦＤＭデータのＧＩとを除去し、得られた拡張データを拡張データＦＦＴ部２０６へ出力する。
【００４１】
拡張データＦＦＴ部２０６は、拡張データを高速フーリエ変換して、各サブキャリアに重畳されている変調データを復調部２０７へ出力する。
【００４２】
復調部２０７は、ＦＦＴ部２０３および拡張データＦＦＴ部２０６から出力される変調データを復調し、得られた符号化データを誤り訂正復号部２０８へ出力する。
【００４３】
誤り訂正復号部２０８は、符号化データを誤り訂正復号し、受信データを出力する。
【００４４】
誤り訂正符号化部２０９は、送信データを誤り訂正符号化し、得られた符号化データを変調部２１０へ出力する。
【００４５】
変調部２１０は、符号化データを変調し、得られた変調データをＩＦＦＴ部２１１へ出力する。
【００４６】
ＩＦＦＴ部２１１は、変調データを逆高速フーリエ変換し、得られたＯＦＤＭデータをＧＩ付加部２１２へ出力する。
【００４７】
ＧＩ付加部２１２は、ＯＦＤＭデータの先頭にＧＩを付加し、ＧＩが付加されたＯＦＤＭデータをＲＦ送信部２１３へ出力する。
【００４８】
ＲＦ送信部２１３は、ＧＩ付加後のＯＦＤＭデータに対して所定の無線送信処理（Ｄ／Ａ変換、アップコンバートなど）を施し、アンテナを介して送信する。
【００４９】
次いで、上記のように構成された基地局装置および移動局装置の動作について、図３に示すシーケンス図を参照しながら説明する。なお、以下の説明においては、移動局装置が基地局装置＃０から基地局装置＃１へとハンドオーバする際の動作を説明する。また、基地局装置＃０のセルのセル属性はセルラ（ＧＩ長大）であり、基地局装置＃１のセルのセル属性はホットスポット（ＧＩ長小）であるものとする。
【００５０】
まず、図示しない制御局装置は、通信中の基地局装置＃０を介して移動局装置へ周辺セル情報を送信する（３０１）。周辺セル情報には、例えば図４に示すように、現在移動局装置が属しているセルの周辺のセルのＩＤ、各セルのセル属性、および各セルのセル属性に対応するＧＩ長などが記録されている。そして、周辺セル情報に含まれる周辺セルのＧＩ長は、図２に示す移動局装置によって取得され（３０２）、各周辺セルのＧＩ長がＧＩ長保持部２０４に保持される。なお、図３に示すシーケンス図においては、周辺セルの基地局装置のうち基地局装置＃１のみを示している。
【００５１】
また、図示しない制御局装置から随時移動局装置宛てのデータが基地局装置＃０を介して送信されるとともに（３０３）、各基地局装置から共通パイロットチャネルの信号が送信される（３０４）。そして、図２に示す移動局装置の図示しない処理部によって、共通パイロットチャネルの信号の受信品質が測定され（３０５）、基地局装置ごとの受信品質測定結果が通信中の基地局装置＃０を介して制御局装置へ通知される（３０６）。
【００５２】
図示しない制御局装置は、移動局装置から通知された受信品質測定結果を参照して、基地局装置＃０から他の基地局装置へハンドオーバするか否かを決定する（３０７）。具体的には、図示しない制御局装置は、例えば通信中の基地局装置＃０に関する受信品質よりも他の基地局装置に関する受信品質の方が高くなった場合に移動局装置にハンドオーバさせると決定する。ここでは、制御局装置は、移動局装置を基地局装置＃１へハンドオーバさせると決定したものとする。
【００５３】
そして、図示しない制御局装置は、移動局装置との間の通信リンクを開放する旨の指示を基地局装置＃０へ送信し（３０８）、同時に、移動局装置との間の通信リンクを確立する旨の指示を基地局装置＃１へ送信する（３０９）。さらに、図示しない制御局装置は、基地局装置＃０から基地局装置＃１へハンドオーバする旨の指示を移動局装置へ送信する（３１０）。
【００５４】
これらの指示を受け、移動局装置は基地局装置＃１からの受信を開始し（３１１）、基地局装置＃１は移動局装置への送信を開始し（３１２）、基地局装置＃０は移動局装置への送信を停止する（３１３）。具体的には、移動局装置は、ＧＩ長保持部２０４に保持されている周辺セルのＧＩ長から基地局装置＃１のＧＩ長を選択して拡張データＧＩ除去部２０５および拡張データＦＦＴ部２０６へ通知する。ここでは、基地局装置＃０がセル属性セルラのセルの基地局装置であったのに対し、基地局装置＃１がセル属性ホットスポットのセルの基地局装置であるため、周辺セル情報が図４に示すようなものの場合、ＧＩ長を１０μｓから１μｓへ変更することになる。こうすることで、移動局装置は、基地局装置＃１へのハンドオーバに備える。そして、拡張データＧＩ除去部２０５および拡張データＦＦＴ部２０６におけるＧＩ長の設定が完了すると、移動局装置は、基地局装置＃１へのハンドオーバが可能な旨を制御局装置へ通知する（３１４）。
【００５５】
図示しない制御局装置は、移動局装置によるハンドオーバが可能となると、ハンドオーバ先の基地局装置＃１を介してデータの送信を再開する（３１５）。このとき、具体的には、基地局装置＃１は、ＧＩ長保持部１０５に保持されているＧＩ長（１μｓ）をＧＩ付加部１０４、拡張データＩＦＦＴ部１０６、および拡張データＧＩ付加部１０７へ通知する。そして、ＩＦＦＴ部１０３によって逆高速フーリエ変換されたＯＦＤＭデータにＧＩ長保持部１０５から通知されたＧＩ長のＧＩが付加される。また、固定長の拡張部分からＧＩ長の２倍を減じた長さの変調データが拡張データＩＦＦＴ部１０６によって逆高速フーリエ変換され、得られた拡張データは、拡張データＧＩ付加部１０７によってＧＩが付加され、拡張データ付加部１０８へ出力される。そして、拡張データ付加部１０８によって、ＧＩ付加部１０４から出力されるＧＩ付加後のＯＦＤＭデータに、ＧＩ付加後の拡張データが付加される。
【００５６】
このようにして生成されたＯＦＤＭシンボルは、ＲＦ送信部１０９によってフレーム構成され、所定の無線送信処理が施された後、アンテナを介して移動局装置へ送信される（３１６）。このフレームには、図５に示すように複数のＯＦＤＭシンボルが含まれている。そして、各ＯＦＤＭシンボルは、固定長のデータ部分と固定長の拡張部分とからなっている。
【００５７】
図５において、固定長の拡張部分の長さτmaxは、無線通信システム全体において最も長いＧＩ長以上の長さであり、本実施の形態においては、セル属性がセルラのセルにおけるＧＩ長１０μｓ以上の長さである。さらに、固定長の拡張部分には、拡張データとＯＦＤＭデータおよび拡張データそれぞれのＧＩが含まれている。ＧＩの長さτは、ＧＩ長保持部１０５に保持されているＧＩ長であり、ここでは、基地局装置＃１のセルのセル属性がホットスポットであるため１μｓである。
【００５８】
ところで、本実施の形態においては、セル属性が異なればＧＩ長が変化する。しかし、ＧＩ長が変化すれば、これに伴って拡張データの長さが変化し、拡張部分全体としての長さは固定とすることができる。このとき、拡張部分の長さτmaxが無線通信システム全体において最も長いＧＩ長以上の長さであるため、変化するＧＩ長τが拡張部分の長さτmaxを超えることはなく、確実に拡張部分の長さτmaxを固定することができる。
【００５９】
さらに、拡張部分の長さτmaxが固定されているため、ＯＦＤＭシンボル中のＯＦＤＭデータの長さも固定することができる。したがって、ＯＦＤＭデータの長さを２のべき乗サンプル（例えば１０２４サンプル）に固定しておくことができ、移動局装置のＦＦＴ部２０３によって容易に高速フーリエ変換を施すことができる。このため、移動局装置において、離散フーリエ変換（ＤＦＴ）などを適用する必要がなく、演算量の増大を防止することができる。
【００６０】
また、拡張部分の長さτmaxは固定であるものの、拡張部分に含まれるＧＩ長τは可変であり、通信を行うセルのセル属性などの伝搬環境に応じて自由にＧＩ長τを変更することができる。そして、拡張部分のＧＩ以外の部分には、拡張データとして送信データを重畳することができ、ＧＩによる伝送効率の損失を最低限に抑制することができる。なお、拡張データも移動局装置において高速フーリエ変換されるため、ＧＩ長τと拡張データの長さとを調節して、拡張データの長さを２のべき乗サンプルにするのが好ましい。拡張部分は、ＯＦＤＭデータに比べて短いため、拡張部分の内部ではＧＩ長τと拡張データの長さとを比較的容易に変更することができる。すなわち、ＯＦＤＭデータを２のべき乗サンプルとする場合に例えば数千サンプル程度の長さの調整が必要なのに対し、拡張データを２のべき乗サンプルとするためには、例えば数十サンプル程度の長さの調整で済む。
【００６１】
このようなフォーマットのＯＦＤＭシンボルを含むフレームは、図２に示す移動局装置のアンテナを介してＲＦ受信部２０１によって受信され、各ＯＦＤＭシンボルの拡張部分が拡張部分除去部２０２によって除去され、得られたＯＦＤＭデータがＦＦＴ部２０３によって高速フーリエ変換される。また、各ＯＦＤＭシンボルの拡張部分は、拡張データＧＩ除去部２０５によって、ＯＦＤＭデータおよび拡張データそれぞれのＧＩが除去され、得られた拡張データが拡張データＦＦＴ部２０６によって高速フーリエ変換される。
【００６２】
ＦＦＴ部２０３および拡張データＦＦＴ部２０６による高速フーリエ変換結果は、復調部２０７によって復調され、誤り訂正復号部２０８によって誤り訂正復号された後、受信データとなる。
【００６３】
以上のように、本実施の形態によれば、ＯＦＤＭシンボルを固定長のＯＦＤＭデータと固定長の拡張部分から構成し、セル属性に応じてＧＩ長が可変のＧＩと長さが可変の拡張データとが拡張部分に含まれるため、ＧＩ長を伝搬環境に応じた最適な長さにしてＧＩによる伝送効率の損失を最低限に抑制することができるとともに、ＯＦＤＭデータの長さを２のべき乗サンプルに固定することにより、演算量の少ない高速フーリエ変換の適用を可能にして演算量の増大を防止することができる。
【００６４】
（実施の形態２）
本発明の実施の形態２の特徴は、拡張部分に含まれる拡張データとして既知のパイロットデータを用いる点である。
【００６５】
本発明の実施の形態２においても、移動局装置が通常の携帯電話などのためのセル（セル属性セルラ）と無線ＬＡＮなどのためのセル（セル属性ホットスポット）との双方において各セルの基地局装置と通信可能であるものとする。
【００６６】
図６は、本実施の形態に係る基地局装置の要部構成を示すブロック図である。同図において、図１と同じ部分には同じ符号を付し、その説明を省略する。図６に示す基地局装置は、誤り訂正符号化部１０１、変調部１０２、切替部４０１、ＩＦＦＴ部１０３、ＧＩ付加部１０４、ＧＩ長保持部１０５、拡張データＩＦＦＴ部１０６ａ、拡張データＧＩ付加部１０７、拡張データ付加部１０８、ＲＦ送信部１０９、ＲＦ受信部１１０、ＧＩ除去部１１１、ＦＦＴ部１１２、復調部１１３、および誤り訂正復号部１１４を有している。
【００６７】
切替部４０１は、変調部１０２から出力される変調データまたはパイロットデータのいずれかを切り替えながらＩＦＦＴ部１０３へ出力する。具体的には、切替部４０１は、フレーム中のデータシンボルを生成するタイミングでは変調データをＩＦＦＴ部１０３へ出力し、パイロットシンボルを生成するタイミングではパイロットデータをＩＦＦＴ部１０３へ出力する。なお、データシンボルとは、ＯＦＤＭデータの全サブキャリアに送信データが重畳されたＯＦＤＭシンボルであり、パイロットシンボルとは、ＯＦＤＭデータの全サブキャリアにパイロットデータが重畳されたＯＦＤＭシンボルである。また、フレーム中におけるデータシンボルとパイロットシンボルとの配置は任意でよいが、例えばフレームの先頭と末尾の１シンボルずつおよびフレームの中央の２シンボルをパイロットシンボルとすることなどが考えられる。
【００６８】
拡張データＩＦＦＴ部１０６ａは、無線通信システム全体において最も長いＧＩ長以上の長さに設定される拡張部分から、自装置のＧＩ長保持部１０５に保持されているＧＩ長の２倍を減じた長さに収まる量の拡張パイロットデータを逆高速フーリエ変換して、複数のサブキャリアに既知の拡張パイロットデータを重畳し、得られた拡張データを拡張データＧＩ付加部１０７へ出力する。
【００６９】
図７は、本実施の形態に係る移動局装置の要部構成を示すブロック図である。同図において、図２と同じ部分には同じ符号を付し、その説明を省略する。図７に示す移動局装置は、ＲＦ受信部２０１、拡張部分除去部２０２、ＦＦＴ部２０３、分離部４０２、ＧＩ長保持部２０４、拡張データＧＩ除去部２０５、拡張データＦＦＴ部２０６ａ、チャネル推定部４０３、復調部２０７、誤り訂正復号部２０８、誤り訂正符号化部２０９、変調部２１０、ＩＦＦＴ部２１１、ＧＩ付加部２１２、およびＲＦ送信部２１３を有している。
【００７０】
分離部４０２は、ＦＦＴ部２０３から出力される変調データを復調部２０７へ出力する一方、パイロットデータをチャネル推定部４０３へ出力する。ここで、変調データはフレーム中のデータシンボルに重畳されているが、パイロットデータはフレーム中のパイロットシンボルに重畳されている。
【００７１】
拡張データＦＦＴ部２０６ａは、拡張データを高速フーリエ変換して、各サブキャリアに重畳されている拡張パイロットデータをチャネル推定部４０３へ出力する。
【００７２】
チャネル推定部４０３は、パイロットデータおよび拡張パイロットデータを用いてチャネル推定を行い、得られたチャネル推定値を復調部２０７へ出力する。なお、チャネル推定部４０３は、チャネル推定に際して拡張パイロットデータを用いるにあたり、ＧＩ長保持部２０４から通知されるＧＩ長を参照して、例えば周波数方向の補間を行っても良い。すなわち、拡張部分におけるＧＩ長の長さによっては、拡張部分に含まれる拡張データが短く、すべてのサブキャリアのチャネル推定を行うには拡張パイロットデータが不足することがある。そこで、ＧＩ長を参照してパイロットデータの補間などの処理を施し、チャネル推定精度を向上しても良い。
【００７３】
本実施の形態においては、実施の形態１と異なり、拡張部分の拡張データとして、既知の拡張パイロットデータを用いる。このため、フレーム中のすべてのＯＦＤＭシンボルの拡張部分にパイロットデータが重畳されており、フレーム中のパイロットシンボルのみを用いてチャネル推定を行う場合よりも、チャネル推定精度を向上することができる。
【００７４】
以上のように、本実施の形態によれば、ＯＦＤＭシンボルの拡張部分に、送信データではなく既知のパイロットデータを重畳するため、フレーム中にパイロットシンボルの数が少ない場合でも、チャネル推定精度を向上することができる。
【００７５】
なお、上記実施の形態１、２においては、図示しない制御局装置からの周辺セル情報によって各基地局装置のＧＩ長が移動局装置へ通知されるものとして説明したが、ハンドオーバが行われる前であればＧＩ長の通知はいつでも良い。したがって、例えば図示しない制御局装置からハンドオーバする旨の指示が移動局装置へ送信されるのと同時に、ハンドオーバ先の基地局装置のＧＩ長が通知されるようにしても良い。
【００７６】
（実施の形態３）
本発明の実施の形態３の特徴は、各移動局装置において最大遅延を測定し、この測定結果から拡張部分におけるＧＩ長を決定する点である。
【００７７】
図８は、本実施の形態に係る基地局装置の要部構成を示すブロック図である。同図において、図１と同じ部分には同じ符号を付し、その説明を省略する。図８に示す基地局装置は、誤り訂正符号化部５０１、変調部１０２、ＩＦＦＴ部１０３、ＧＩ付加部１０４、拡張データＩＦＦＴ部１０６、拡張データＧＩ付加部１０７、拡張データ付加部１０８、ＲＦ送信部１０９、ＲＦ受信部１１０、ＧＩ除去部１１１、ＦＦＴ部１１２、復調部１１３、誤り訂正復号部１１４、最大遅延集計部５０２、およびスケジューラ５０３を有している。
【００７８】
誤り訂正符号化部５０１は、送信データ、後述するスケジューリング情報、および後述するＧＩ長情報を誤り訂正符号化し、得られた符号化データを変調部１０２へ出力する。
【００７９】
最大遅延集計部５０２は、セル内の移動局装置から報告される最大遅延を集計し、移動局装置のグループ分けを行う。具体的には、最大遅延集計部５０２は、最大遅延が所定の範囲内にある移動局装置を同一グループとするグループ分けを行う。そして、最大遅延集計部５０２は、グループ分け結果をスケジューラ５０３へ通知する。
【００８０】
スケジューラ５０３は、セル内の移動局装置における受信品質およびグループ分け結果を用いてスケジューリングを行う。具体的には、スケジューラ５０３は、受信品質が所定の基準よりも良好な移動局装置とこの移動局装置と同一グループの移動局装置とに対して送信を行うことを決定する。このとき、スケジューラ５０３は、受信品質が良好な移動局装置と同一のグループ内に受信品質が劣悪な移動局装置がある場合は、受信品質が劣悪な移動局装置を除外して送信を行うことを決定しても良い。
【００８１】
そして、スケジューラ５０３は、送信を行うことになった移動局装置を報知するスケジューリング情報を誤り訂正符号化部５０１へ出力し、これらの移動局装置が属するグループに対応するＧＩ長を通知するＧＩ長情報を誤り訂正符号化部５０１、ＧＩ付加部１０４、拡張データＩＦＦＴ部１０６、および拡張データＧＩ付加部１０７へ出力する。
【００８２】
図９は、本実施の形態に係る移動局装置の要部構成を示すブロック図である。同図において、図２と同じ部分には同じ符号を付し、その説明を省略する。図９に示す移動局装置は、ＲＦ受信部２０１、拡張部分除去部２０２、ＦＦＴ部２０３、ＧＩ長保持部２０４ａ、拡張データＧＩ除去部２０５、拡張データＦＦＴ部２０６、復調部２０７、誤り訂正復号部２０８、最大遅延測定部５０４、誤り訂正符号化部２０９、変調部２１０、ＩＦＦＴ部２１１、ＧＩ付加部２１２、およびＲＦ送信部２１３を有している。
【００８３】
ＧＩ長保持部２０４ａは、基地局装置から送信されるＧＩ長情報を参照し、自装置に対して送信を行う基地局装置が付加するＧＩ長を保持する。
【００８４】
最大遅延測定部５０４は、基地局装置から送信された共通パイロットチャネルの信号などを用いて最大遅延を測定する。具体的には、最大遅延測定部５０４は、例えば遅延プロファイルを作成し、先行波の到達タイミングから受信レベルが所定レベル以上のパスが存在する区間の長さを最大遅延とする。最大遅延測定部５０４は、測定した最大遅延を誤り訂正符号化部２０９へ出力する。
【００８５】
次いで、上記のように構成された基地局装置および移動局装置の動作について、図１０に示すシーケンス図を参照しながら説明する。なお、以下の説明においては、図８に示す基地局装置がカバーするセル内に移動局装置＃１〜＃ｎのｎ個の移動局装置が属しているものとする。また、移動局装置＃１〜＃ｎの構成は、図９に示す移動局装置と同様であるものとする。
【００８６】
まず、基地局装置は随時共通パイロットチャネルの信号を送信しており（６０１）、セル内の移動局装置＃１〜＃ｎは、共通パイロットチャネルの信号を受信する。受信された共通パイロットチャネルの信号は、図９に示す移動局装置のアンテナを介してＲＦ受信部２０１によって受信され、拡張部分ＧＩ除去部２０２を経て最大遅延測定部５０４へ出力される。そして、最大遅延測定部５０４によって、例えば遅延プロファイルが作成されることにより、最大遅延が測定される（６０２）。移動局装置＃１〜＃ｎにおける伝搬環境はそれぞれ異なっているため、各移動局装置の最大遅延測定部５０４によって測定される最大遅延は互いに異なっている。
【００８７】
測定された最大遅延は、誤り訂正符号化部２０９によって誤り訂正符号化され、変調部２１０からＲＦ送信部２１３によって処理された後、アンテナを介して基地局装置へ送信される（６０３）。そして、移動局装置＃１〜＃ｎから送信された最大遅延は、基地局装置のアンテナを介してＲＦ受信部１１０によって受信され、ＧＩ除去部１１１から誤り訂正復号部１１４を経て、最大遅延集計部５０２へ出力される。
【００８８】
そして、最大遅延集計部５０２によって、各移動局装置からの最大遅延が集計され、移動局装置のグループ分けが行われる。すなわち、例えば図１１に示すように、最大遅延の範囲を２μｓごとに区切り、測定された最大遅延が含まれる範囲のグループに移動局装置＃１〜＃ｎを振り分ける。なお、図１１の紙面向かって右の列には、各グループの移動局装置に対して割り当てられるＧＩ長が示されている。このＧＩ長は、最大遅延の各範囲における上限値であるため、各グループの移動局装置に対してこのＧＩ長のＧＩを設けたＯＦＤＭシンボルを送信すれば、ＧＩが最大遅延よりも長く、シンボル間干渉の影響を効果的に抑制できると考えられる。
【００８９】
ここでは、例えば移動局装置＃１〜＃６の最大遅延測定結果が図１２に示すようなものであり、図１１に示すグループ分けに従って各移動局装置のグループが決定されたものとして説明を進める。すなわち、移動局装置＃１、＃２はグループ１に振り分けられ、移動局装置＃３はグループ４に振り分けられ、移動局装置＃４、＃５はグループ２に振り分けられ、移動局装置＃６はグループ３に振り分けられたものとする。なお、図１２の紙面向かって右の列には、各移動局装置に対して割り当てられるＧＩ長が示されている。
【００９０】
このようなグループ分けの結果は、スケジューラ５０３へ通知され、スケジューラ５０３によって、スケジューリングが行われる（６０４）。すなわち、スケジューラ５０３によって、別途各移動局装置から報告された受信品質が比較され、受信品質が良好な移動局装置に対して送信を行うことが決定される。
【００９１】
そして、スケジューラ５０３によって、送信が行われることになった移動局装置と同一のグループに属する移動局装置にも送信を行うことが決定され、送信が行われることになったすべての移動局装置を通知するスケジューリング情報が誤り訂正符号化部５０１へ出力される。つまり、図１２において、例えば移動局装置＃１に対して送信を行うことが決定された場合、グループ１に属する移動局装置＃２に対しても送信を行うことが決定され、その旨のスケジューリング情報が誤り訂正符号化部５０１へ出力される。ただし、送信が行われることになった移動局装置と同一のグループに属する移動局装置の受信品質が劣悪な場合は、この移動局装置を除外しても良い。
【００９２】
また、スケジューラ５０３によって、送信が行われることになった移動局装置が属するグループに対応するＧＩ長が次回のスケジューリングまでのＧＩ長に決定され（６０５）、このＧＩ長情報が誤り訂正符号化部５０１、ＧＩ付加部１０４、拡張データＩＦＦＴ部１０６、および拡張データＧＩ付加部１０７へ出力される。
【００９３】
このように本実施の形態においては、スケジューリングの結果、受信品質が良好な移動局装置に対してこの移動局装置における最大遅延に応じたＧＩ長が採用されることになり、ＧＩによる伝送効率の損失を最低限に抑制するとともに、伝搬環境に適したＧＩ長を柔軟に決定することができる。また、最大遅延が同程度の移動局装置に対してまとめて送信が行われるため、ＧＩ長を変更する頻度を削減して、処理負荷の増大を抑制することができる。
【００９４】
そして、スケジューリングおよびＧＩ長決定の後、スケジューリング情報が誤り訂正符号化部５０１からＲＦ送信部１０９を経てアンテナを介して送信され（６０６）、同様に、ＧＩ長情報が誤り訂正符号化部５０１からＲＦ送信部１０９を経てアンテナを介して送信される（６０７）。なお、図１０では、スケジューリングの結果、移動局装置＃１および移動局装置＃２に対して送信が行われると決定された場合のシーケンスを示している。
【００９５】
その後、図８に示す基地局装置は、ＧＩ長情報によって指定されるＧＩ長のＧＩが付加されたＯＦＤＭシンボルの送信を開始する（６０８）。すなわち、送信データが誤り訂正符号化部５０１からＩＦＦＴ部１０３によって処理され、得られたＯＦＤＭデータにスケジューラ５０３から通知された長さのＧＩが付加される。また、固定長の拡張部分からＧＩ長の２倍を減じた長さの変調データが拡張データＩＦＦＴ部１０６によって逆高速フーリエ変換され、得られた拡張データは、拡張データＧＩ付加部１０７によってＧＩが付加され、拡張データ付加部１０８へ出力される。そして、拡張データ付加部１０８によって、ＧＩ付加部１０４から出力されるＧＩ付加後のＯＦＤＭデータに、ＧＩ付加後の拡張データが付加される。
【００９６】
このようにして生成されたＯＦＤＭシンボルは、ＲＦ送信部１０９によってフレーム構成され、所定の無線送信処理が施された後、アンテナを介して移動局装置へ送信される（６０９）。
【００９７】
そして、ＯＦＤＭシンボルを含むフレームは、移動局装置＃１および移動局装置＃２によって受信が開始される（６１０）。すなわち、フレームは、図９に示す移動局装置のアンテナを介してＲＦ受信部２０１によって受信され、各ＯＦＤＭシンボルの拡張部分が拡張部分除去部２０２によって除去され、得られたＯＦＤＭデータがＦＦＴ部２０３によって高速フーリエ変換される。また、各ＯＦＤＭシンボルの拡張部分は、拡張データＧＩ除去部２０５によって、ＯＦＤＭデータおよび拡張データそれぞれのＧＩが除去され、得られた拡張データが拡張データＦＦＴ部２０６によって高速フーリエ変換される。
【００９８】
ＦＦＴ部２０３および拡張データＦＦＴ部２０６による高速フーリエ変換結果は、復調部２０７によって復調され、誤り訂正復号部２０８によって誤り訂正復号された後、受信データとなる。
【００９９】
以上のように、本実施の形態によれば、移動局装置から報告される最大遅延に応じてＧＩ長を決定するとともに、最大遅延が同程度の移動局装置に対してまとめて送信を行うため、ＧＩ長を伝搬環境に応じた最適な長さにしてＧＩによる伝送効率の損失を最低限に抑制することができるとともに、ＧＩ長を変更する処理負荷の増大を抑制することができる。
【０１００】
なお、本実施の形態においては、最大遅延の大きさによって移動局装置をグループ分けしたが、グループ分けを行わずに、スケジューリングによって送信を行うと決定された移動局装置の最大遅延からＧＩ長を決定するのみでも良い。こうする場合でも、伝搬環境に応じたＧＩ長を決定し、伝送効率の損失を最低限に抑制することができる。
【０１０１】
また、上記各実施の形態においては、拡張部分における拡張データが逆高速フーリエ変換されて得られたマルチキャリアデータであるものとして説明したが、本発明はこれに限定されず、拡張データをシングルキャリアデータとしても良い。さらに、上記各実施の形態においては、基地局装置から移動局装置へ向かう下り回線について説明したが、移動局装置から基地局装置へ向かう上り回線において、可変長のＧＩおよび可変長の拡張データを含む固定長の拡張部分を固定長のデータ部分に付加しても良い。
【０１０２】
本発明の第１の態様に係るマルチキャリア通信装置は、伝搬環境に応じた長さのガードインターバルを固定長のマルチキャリアデータに付加する付加手段と、付加されたガードインターバルとの長さの和を一定にする拡張データを生成する生成手段と、ガードインターバル付加後のマルチキャリアデータと前記拡張データとからなるシンボルを送信する送信手段と、を有する構成を採る。
【０１０３】
この構成によれば、固定長のマルチキャリアデータにガードインターバルおよび拡張データからなる固定長の拡張部分が付加されて送信シンボルとなるため、伝搬環境に応じてＧＩの長さを変えても、マルチキャリアデータの長さを２のべき乗サンプルに固定することができ、受信側において高速フーリエ変換を行うことができる。結果として、ＧＩによる伝送効率の損失を最低限に抑制しつつ、演算量の増大を防止することができる。
【０１０４】
本発明の第２の態様に係るマルチキャリア通信装置は、上記第１の態様において、前記付加手段は、自装置がカバーするセルのセル半径が大きいほど長いガードインターバルを付加し、前記セル半径が小さいほど短いガードインターバルを付加する構成を採る。
【０１０５】
この構成によれば、セル半径に応じてガードインターバルの長さを変更するため、例えばセル属性セルラであるかホットスポットであるかなどによって最適なＧＩ長を採用することができる。
【０１０６】
本発明の第３の態様に係るマルチキャリア通信装置は、上記第１の態様において、前記付加手段は、通信相手における最大遅延以上の長さのガードインターバルを付加する構成を採る。
【０１０７】
この構成によれば、ガードインターバルを通信相手における最大遅延以上の長さとするため、通信相手におけるシンボル間干渉を確実に防止することができる。
【０１０８】
本発明の第４の態様に係るマルチキャリア通信装置は、上記第３の態様において、前記付加手段は、複数の移動局装置から報告される最大遅延を集計し、最大遅延の範囲によって前記複数の移動局装置をグループ分けする最大遅延集計部と、前記複数の移動局装置のうち受信品質が所定基準以上の移動局装置およびこの移動局装置と同一グループの移動局装置を通信相手と決定するスケジューラと、を有し、決定された通信相手の移動局装置に対して、同一の長さのガードインターバルを付加する構成を採る。
【０１０９】
この構成によれば、最大遅延が同程度の移動局装置のグループのうち、受信品質が良好な移動局装置が属するグループに対して同じ長さのガードインターバルを付加してシンボルを送信するため、ＧＩによる伝送効率の損失を最低限に抑制するとともに、ＧＩ長を変更する頻度を削減して、処理負荷の増大を抑制することができる。
【０１１０】
本発明の第５の態様に係るマルチキャリア通信装置は、上記第１の態様において、前記生成手段は、送信データを直交逆変換する直交逆変換部と、直交逆変換された送信データに前記付加手段によって付加されるガードインターバルと同じ長さのガードインターバルを付加して拡張データを生成するガードインターバル付加部と、を有する構成を採る。
【０１１１】
この構成によれば、送信データを直交逆変換してガードインターバルを付加し、拡張データとするため、伝送効率の向上を図ることができる。
【０１１２】
本発明の第６の態様に係るマルチキャリア通信装置は、上記第１の態様において、前記生成手段は、既知のパイロットデータを直交変換する直交逆変換部と、直交逆変換されたパイロットデータに前記付加手段によって付加されるガードインターバルと同じ長さのガードインターバルを付加して拡張データを生成するガードインターバル付加部と、を有する構成を採る。
【０１１３】
この構成によれば、パイロットデータを直交逆変換してガードインターバルを付加し、拡張データとするため、受信側におけるチャネル推定精度を向上することができる。
【０１１４】
本発明の第７の態様に係るマルチキャリア通信装置は、伝搬環境に応じた長さのガードインターバルおよびこのガードインターバルとの長さの和を一定にする拡張データが固定長のマルチキャリアデータに付加されたシンボルを受信する受信手段と、受信シンボルから前記ガードインターバルおよび拡張データを除去して前記マルチキャリアデータを取得する第１取得手段と、前記ガードインターバルの長さを用いて受信シンボルから前記拡張データを取得する第２取得手段と、取得されたマルチキャリアデータおよび拡張データに基づいた復調を行う復調手段と、を有する構成を採る。
【０１１５】
この構成によれば、固定長のマルチキャリアデータにガードインターバルおよび拡張データからなる固定長の拡張部分が付加されたシンボルを受信し、マルチキャリアデータとは別に、ガードインターバルの長さを用いて拡張データを取得するため、ガードインターバルの長さが変更されても、マルチキャリアデータおよび拡張データをそれぞれ正確に復調することができる。
【０１１６】
本発明の第８の態様に係るマルチキャリア通信方法は、伝搬環境に応じた長さのガードインターバルを固定長のマルチキャリアデータに付加するステップと、付加されたガードインターバルとの長さの和を一定にする拡張データを生成するステップと、ガードインターバル付加後のマルチキャリアデータと前記拡張データとからなるシンボルを送信するステップと、を有するようにした。
【０１１７】
この方法によれば、固定長のマルチキャリアデータにガードインターバルおよび拡張データからなる固定長の拡張部分が付加されて送信シンボルとなるため、伝搬環境に応じてＧＩの長さを変えても、マルチキャリアデータの長さを２のべき乗サンプルに固定することができ、受信側において高速フーリエ変換を行うことができる。結果として、ＧＩによる伝送効率の損失を最低限に抑制しつつ、演算量の増大を防止することができる。
【０１１８】
本発明の第９の態様に係るマルチキャリア通信方法は、伝搬環境に応じた長さのガードインターバルおよびこのガードインターバルとの長さの和を一定にする拡張データが固定長のマルチキャリアデータに付加されたシンボルを受信するステップと、受信シンボルから前記ガードインターバルおよび拡張データを除去して前記マルチキャリアデータを取得するステップと、前記ガードインターバルの長さを用いて受信シンボルから前記拡張データを取得するステップと、取得されたマルチキャリアデータおよび拡張データに基づいた復調を行うステップと、を有するようにした。
【０１１９】
この方法によれば、固定長のマルチキャリアデータにガードインターバルおよび拡張データからなる固定長の拡張部分が付加されたシンボルを受信し、マルチキャリアデータとは別に、ガードインターバルの長さを用いて拡張データを取得するため、ガードインターバルの長さが変更されても、マルチキャリアデータおよび拡張データをそれぞれ正確に復調することができる。
【産業上の利用可能性】
【０１２０】
本発明のマルチキャリア通信装置およびマルチキャリア通信方法は、ＧＩによる伝送効率の損失を最低限に抑制しつつ、演算量の増大を防止することができ、例えばシンボルに含まれるデータ部分の先頭にＧＩが付加されたマルチキャリア信号を伝送するマルチキャリア通信装置およびマルチキャリア通信方法として有用である。
【図面の簡単な説明】
【０１２１】
【図１】本発明の実施の形態１に係る基地局装置の要部構成を示すブロック図
【図２】実施の形態１に係る移動局装置の要部構成を示すブロック図
【図３】実施の形態１に係るハンドオーバの動作を示すシーケンス図
【図４】実施の形態１に係るセル属性とＧＩ長の対応の一例を示す図
【図５】実施の形態１に係るフレームフォーマットの一例を示す図
【図６】本発明の実施の形態２に係る基地局装置の要部構成を示すブロック図
【図７】実施の形態２に係る移動局装置の要部構成を示すブロック図
【図８】本発明の実施の形態３に係る基地局装置の要部構成を示すブロック図
【図９】実施の形態３に係る移動局装置の要部構成を示すブロック図
【図１０】実施の形態３に係るスケジューリングの動作を示すシーケンス図
【図１１】実施の形態３に係る最大遅延とグループの関係の一例を示す図
【図１２】実施の形態３に係る移動局装置のグループ分けの一例を示す図
【図１３】（ａ）ＯＦＤＭシンボルの一例を示す図（ｂ）ＯＦＤＭシンボルの他の一例を示す図
【符号の説明】
【０１２２】
１０１、２０９、５０１  誤り訂正符号化部
１０２、２１０  変調部
１０３、２１１  ＩＦＦＴ部
１０４、２１２  ＧＩ付加部
１０５、２０４、２０４ａ  ＧＩ長保持部
１０６、１０６ａ  拡張データＩＦＦＴ部
１０７  拡張データＧＩ付加部
１０８  拡張データ付加部
１０９、２１３  ＲＦ送信部
１１０、２０１  ＲＦ受信部
１１１  ＧＩ除去部
１１２、２０３  ＦＦＴ部
１１３、２０７  復調部
１１４、２０８  誤り訂正復号部
２０２  拡張部分除去部
２０５  拡張データＧＩ除去部
２０６、２０６ａ  拡張データＦＦＴ部
４０１  切替部
４０２  分離部
４０３  チャネル推定部
５０２  最大遅延集計部
５０３  スケジューラ
５０４  最大遅延測定部
【図１】
2006324728.tif 000003
【図２】
2006324728.tif 000004
【図３】
2006324728.tif 000005
【図４】
2006324728.tif 000006
【図５】
2006324728.tif 000007
【図６】
2006324728.tif 000008
【図７】
2006324728.tif 000009
【図８】
2006324728.tif 000010
【図９】
2006324728.tif 000011
【図１０】
2006324728.tif 000012
【図１１】
2006324728.tif 000013
【図１２】
2006324728.tif 000014
【図１３】
2006324728.tif 000015